(57)【要約】【課題】簡単な構成で的確に分岐光線路の監視を行う。【解決手段】互いに異なるλｔ（１）〜λｔ（ｎ）のｎ個（ｎは整数）の波長を持った検査光をＯＴＤＲ装置２から発信し、第１〜第ｎの分岐光線路１（１ａ１〜１ａｎ）にそれぞれ入力する。第１〜第（ｎ−１）の分岐光線路１（１ａ１〜１ａｎ−１）の検査光入射側に第１〜第（ｎ−１）の波長選択透過フィルタ５（５ａ１〜５ａｎ−１）を設ける。波長選択透過フィルタ５（５ａ１〜５ａｎ−１）は透過する検査光の波長数が順に多くなるように形成し、第ｎの分岐光線路１ａｎの状況を波長λｔ（ｎ）の戻り光により、第（ｎ−１）の分岐光線路１ａｎ−１の状況を波長λｔ（ｎ−１）の戻り光から波長λｔ（ｎ）の戻り光を差し引いて、第（ｎ−２）の分岐光線路１ａｎ−２の状況を波長λｔ（ｎ−２）の戻り光から波長λｔ（ｎ−１）の戻り光を差し引いて求めるといったように、第ｎ〜第１の分岐光線路１の状況を順次求める。【選択図】        図１
2004156962.tif 000002
【特許請求の範囲】
【請求項１】
少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段と、前記ｎ本の分岐光線路のうち第１から第（ｎ−１）の分岐光線路の検査光入射側にそれぞれ設けられて互いに異なる波長選択透過特性を有する第１から第（ｎ−１）の波長選択透過フィルタと、該第１から第（ｎ−１）の波長選択透過フィルタをそれぞれ透過して前記第１から第（ｎ−１）の分岐光線路に入力された後にそれぞれの分岐光線路で反射してＯＴＤＲ装置に戻ってくる戻り光と波長選択透過フィルタが設けられていない第ｎの分岐光線路に入力された後に第ｎの分岐光線路で反射してＯＴＤＲ装置に戻ってくる戻り光のデータを受けて、波長λｔ（１）から波長λｔ（ｎ）の戻り光の解析を行う検査光解析手段とを有し、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第（ｎ−１）の波長選択透過フィルタは透過する検査光の波長数が順に多くなるように形成されており、前記検査光解析手段は第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求めることを特徴とする分岐光線路の監視システム。
【請求項２】
少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段と、前記第１から第ｎの分岐光線路の検査光入射側にそれぞれ設けられて互いに異なる波長選択透過特性を有する第１から第ｎの波長選択透過フィルタと、該第１から第ｎの波長選択透過フィルタをそれぞれ透過して前記第１から第ｎの分岐光線路に入力された後にそれぞれの分岐光線路で反射してＯＴＤＲ装置に戻ってくる戻り光を受けて、波長λｔ（１）から波長λｔ（ｎ）の戻り光の解析を行う検査光解析手段とを有し、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第ｎの波長選択透過フィルタは透過する検査光の波長数が順に多くなるように形成されており、前記検査光解析手段は第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求めることを特徴とする分岐光線路の監視システム。
【請求項３】
ＯＴＤＲ装置から発信される検査光と通信光を合波して分岐光導波路に送信する光合波器が設けられていることを特徴とする請求項１または請求項２記載の分岐光線路の監視システム。
【請求項４】
波長選択透過フィルタは通信光を透過することを特徴とする請求項１または請求項２または請求項３記載の分岐光線路の監視システム。
【請求項５】
分岐光線路の終端部に検査光遮断フィルタを設けたことを特徴とする請求項１乃至請求項４のいずれか一つに記載の分岐光線路の監視システム。
【請求項６】
ＯＴＤＲ装置から発信する検査光が通信光の発信装置に入射することを抑制する検査光遮断フィルタを設けたことを特徴とする請求項１乃至請求項５のいずれか一つに記載の分岐光線路の監視システム。
【請求項７】
１つのＯＴＤＲ装置が光スイッチを介して複数の光分岐手段に接続されており、それぞれの光分岐手段に接続されている分岐光線路に前記ＯＴＤＲ装置からの検査光を切り替え入力する構成としたことを特徴とする請求項１乃至請求項６のいずれか一つに記載の分岐光線路の監視システム。
【請求項８】
検査光解析手段は光ファイバ特性の波長依存性を補正する補正部を有していることを特徴とする請求項１乃至請求項７のいずれか一つに記載の分岐光線路の監視システム。
【請求項９】
少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段を設け、前記ｎ本の分岐光線路のうち第１から第（ｎ−１）の分岐光線路の検査光入射側には互いに異なる波長選択透過特性を有する第１から第（ｎ−１）の波長選択透過フィルタを設け、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第（ｎ−１）の波長選択透過フィルタは透過する検査光の波長数を順に多くし、該第１から第（ｎ−１）の波長選択透過フィルタをそれぞれ透過して前記第１から第（ｎ−１）の分岐光線路に入力された後にそれぞれの分岐光線路で反射してＯＴＤＲ装置に戻ってくる戻り光と、波長選択透過フィルタが設けられていない第ｎの分岐光線路に入力された後に第ｎの分岐光線路で反射してＯＴＤＲ装置に戻ってくる戻り光のデータに基づき、第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求めることを特徴とする分岐光線路の監視方法。
【請求項１０】
少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段を設け、前記ｎ本の分岐光線路のうち第１から第ｎの分岐光線路の検査光入射側には互いに異なる波長選択透過特性を有する第１から第ｎの波長選択透過フィルタを設け、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第ｎの波長選択透過フィルタは透過する検査光の波長数を順に多くし、該第１から第ｎの波長選択透過フィルタをそれぞれ透過して前記第１から第ｎの分岐光線路に入力された後にそれぞれの分岐光線路で反射してＯＴＤＲ装置に戻ってくる波長λｔ（１）から波長λｔ（ｎ）の戻り光のデータに基づき、第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求めることを特徴とする分岐光線路の監視方法。
【発明の詳細な説明】
【０００１】
【発明の属する技術分野】
本発明は、光通信分野に関し、光カプラ等により光線路（光伝送路）を分岐して構成される光分岐線路の監視システムおよび監視方法に関するものである。
【０００２】
【背景技術】
従来、光ファイバ等により形成された光線路を用いて様々な光通信が行われており、この光通信システムにおいて、例えば図３に示す分岐光線路の監視システムによって光線路の異常の有無や異常箇所等を監視することが行われている（例えば非特許文献１参照。）。
【０００３】
図３に示すように、光通信システムにおいて、例えば局側のＳＬＴ（加入者終端盤）に通信光の発信装置１０が設けられており、この発信装置１０から発信される通信光は、基幹光線路１１を通り、さらに、例えばスターカプラ等の光分岐手段３により分岐され、それぞれの分岐光線路１（１ａ１〜１ａ８）を通って加入者宅側のＯＮＵ（ｏｐｔｉｃａｌ  ｎｅｔｗｏｒｋ  ｕｎｉｔ；光加入者線終端装置）４に伝送される。
【０００４】
ここで、分岐光線路１（１ａ１〜１ａ８）の監視を行えるようにするために、光分岐手段３の入射側にＯＴＤＲ（Ｏｐｔｉｃａｌ  Ｔｉｍｅ  Ｄｏｍａｉｎ  Ｒｅｆｌｅｃｔｏｍｅｔｅｒ）装置２を設け、分岐光線路１（１ａ１〜１ａ８）の敷設時に、分岐光線路１（１ａ１〜１ａ８）の長さを互いに異なる長さに形成して敷設している。
【０００５】
そして、分岐光線路１（１ａ１〜１ａ８）の敷設後、ＯＴＤＲ装置２から検査光（監視試験光）を、光ファイバ２５と光カプラ１８を介して基幹光線路１１に入力すると、この検査光が分岐光線路１（１ａ１〜１ａ８）の終端位置で戻ってくる。この戻り光の測定を分岐光線路１１（１ａ１〜１ａ８）の正常時に行い、各分岐光線路１（１ａ１〜１ａ８）の終端位置を記憶する。
【０００６】
また、障害発生時に再度、ＯＴＤＲ装置２による上記検査光の測定試験を実施し、先に記憶していた各分岐光線路１（１ａ１〜１ａ８）の終端位置と比較すると、断線等故障が発生した分岐光線路１（１ａ１〜１ａ８）の終端位置が変化している（つまり、故障が発生した光線路は断線位置が終端位置となる）ことから、障害のある分岐光線路１の特定が可能となる。
【０００７】
一般に、上記通信光として、例えば波長１．３１μｍの光や波長１．５５μｍの光が用いられ、ＯＴＤＲ装置２から発信される検査光として、波長１．６μｍ帯の光が用いられている。分岐光線路１（１ａ１〜１ａ８）の終端位置には検査光を反射する検査光遮断フィルタ９が設けられており、検査光による悪影響がＯＮＵ４に及ぶことを抑制している。なお、図３の図中、１７はＭＴコネクタを示す。
【０００８】
また、分岐光線路監視システムの別の例として、図４に示す構成が提案されている（例えば非特許文献２、特許文献１参照。）。
【０００９】
この提案の監視システムは、各分岐光線路１（１ａ１，１ａ２，・・・）とＯＮＵ４との間に光リフレクタ１５（１５ａ１，１５ａ２，・・・）を設け、それぞれの光リフレクタ１５（１５ａ１，１５ａ２，・・・）により互いに異なる設定波長の光のみを反射するようにし、この反射光を利用して分岐光線路１（１ａ１，１ａ２，・・・）の監視を行うものである。
【００１０】
ＯＴＤＲ装置２は波長可変機能を有するものとし、例えば分岐光線路１（１ａ１，１ａ２，・・・）の敷設時に、前記光リフレクタ１５（１５ａ１，１５ａ２，・・・）がそれぞれ反射する設定波長光λｔ（ｎ）（ｎは整数であり、λｔ（１）、λｔ（２）、・・・）をＯＴＤＲ装置２から順次発信する。
【００１１】
そうすると、ＯＴＤＲ装置２から発信された波長λｔ（１）〜λｔ（ｎ）の検査光は、光カプラ１８を介してそれぞれの分岐光線路１（１ａ１、１ａ２、・・・）に入力され、各分岐光線路１（１ａ１、１ａ２、・・・）に設けた対応する光リフレクタ１５（１５ａ１、１５ａ２、・・・）にて、分岐光線路１（１ａ１、１ａ２、・・・）ごとに反射した異なる波長の反射光が戻ってくる。
【００１２】
この反射光情報に基づき、それぞれの分岐光線路１（１ａ１，１ａ２，・・・）の終端位置を、上記と同様にして正常時に記憶しておく。そして、障害発生時にも同様に、１つ１つの光分岐線路１（１ａ１，１ａ２，・・・）に対応する設定波長光を順次発信してそれぞれの分岐光線路１の終端位置を記憶し、正常時に記憶した終端位置と比較することにより、障害発生した分岐光線路１を特定する。
【００１３】
なお、このシステムにおいても、通信光の発信装置から送信される通信光（λｓ）は、基幹光線路１１を通り、スプリッタ等により形成された光分岐手段３により分岐されてそれぞれの光分岐線路１（１ａ１，１ａ２，・・・）を通ってＯＮＵ４に入力される。
【００１４】
さらに、分岐光線路監視システムの別の例として、図５に示す構成が提案されている（例えば非特許文献３、特許文献２参照。）。
【００１５】
このシステムは、光分岐手段３として、通信光の分岐と検査光の分波を行える光部品（スプリッタ／ルータ）を適用してそれぞれの光分岐線路１（１ａ１，１ａ２，・・・）の監視を行うものである。つまり、光分岐手段３に適用される光部品は、ＯＴＤＲ装置２から発信される監視波長光を、波長ごとにそれぞれ対応する光分岐線路１（１ａ１，１ａ２，・・・）に入力できるような、波長合分波機能を有するアレイ導波路回折格子の応用品等により形成される。
【００１６】
ＯＴＤＲ装置２は、例えば光分岐線路１（１ａ１，１ａ２，・・・）の本数に対応する種類の波長可変機能を有するものとする。ＯＴＤＲ装置２から発信された第１設定波長光は光分岐手段３を介し、対応する光分岐線路１ａ１に入射するので、光分岐線路１ａ１の終端位置が検出される。
【００１７】
同様に、それぞれの分岐光線路１（１ａ２，・・・）の終端位置を記憶しておく。障害発生時にも同様に、１つ１つの光分岐線路１（１ａ１，１ａ２，・・・）に対応する設定波長光を選択的に入射して、それぞれの分岐光線路１の終端位置を記憶し、正常時に記憶した終端位置と比較することにより、どの分岐光線路１のどの位置にどのような障害が発生しているかを検出する。
【００１８】
さらに、分岐光線路監視システムの別の例として、図６に示す構成により光線路の監視を行うことが提案されている（例えば非特許文献４参照。）。
【００１９】
この提案のシステムは、光分岐手段３の手前に、波長選択分波光部品１３を設けて、波長λｓの通信光と波長λｔ（１）〜λｔ（ｎ）の検査光とを分離させ、通信光は光分岐手段３により分岐してそれぞれの分岐光線路１（１ａ１，１ａ２，・・・）に入力する。
【００２０】
一方、検査光は、検査光専用線路２４を通り、波長分波器１４によってそれぞれの波長ごとに分波され、対応する分岐光線路１（１ａ１，１ａ２，・・・）側に伝送する。そして、光カプラ１６を介して前記通信光と検査光が合波され、それぞれの分岐光線路１（１ａ１，１ａ２，・・・）側を伝送する。なお、波長分波器１４は、例えばバンドパスフィルタ型波長分波器等により形成される。
【００２１】
この構成においても、図５に示した構成と同様に、ＯＴＤＲ装置２は、例えば光分岐線路１（１ａ１，１ａ２，・・・）の本数に対応する種類の波長可変機能を有するものとする。そして、光線路敷設時にそれぞれの分岐光線路の終端位置を記憶しておき、異常発生時に記憶される各分岐光線路１（１ａ１，１ａ２，・・・）の終端位置との比較によって、どの分岐光線路１のどの位置にどのような障害が発生しているかを検出する。
【００２２】
【特許文献１】
特開平９―１５２３８６号公報
【特許文献２】
特開平９―１１３４１３号公報
【非特許文献１】
１９９４年信学会秋期大会Ｂ−８４６
【非特許文献２】
１９９６年信学会総合大会Ｂ−１０７３
【非特許文献３】
平成８年電気学会電子・情報・システム部門大会Ａ−９−４
【非特許文献４】
電子情報通信学会技術研究報告（ＯＦＴ２０００−５１）
【００２３】
【発明が解決しようとする課題】
しかしながら、図３に示した監視システムは、光線路の敷設時に各分岐光線路１（１ａ１〜１ａ８）の長さを互いに異なる長さに設計する必要があり、設計作業が面倒であるといった問題があった。また、このシステムを適用して分岐光線路の監視を行った場合、どの分岐光線路１に故障があるかを知ることができるだけであり、故障位置の特定はできなかった。
【００２４】
また、図４に示した方法は、例えば断線等の障害発生時には、どの分岐光線路１に故障が発生したかを知ることができるが、反射が無く、損失のみが増加する故障が発生した場合はどの位置で故障が発生したかを特定することができないといった問題があった。
【００２５】
さらに、図５に示した方法は、障害発生時にどの分岐光線路１のどの位置にどのような故障が発生したかが分かるものの、光分岐手段３としてアレイ導波路回折格子の応用品等を適用する必要があり、この光部品が高価なため、システム構築のコストアップを招くといった問題があった。
【００２６】
また、上記アレイ導波路回折格子の応用品は、アレイ導波路回折格子に温度依存性があることから、環境温度によって分波波長がシフトしてしまい、各分岐光線路１に正常に試験光が入力されない可能性がある。これを防止するために温度補償機構を設けると、光分岐手段３の部品コストが益々高くなり、システム構築の益々のコストアップを招く。
【００２７】
さらに、図６に示した方法は、図５に示した方法と同様に、障害発生時にどの分岐光線路１のどの位置にどのような故障が発生したかが分かるものの、多数の光部品を用いており、システムが複雑なために、システム構築のコストアップを招くといった問題があった。
【００２８】
本発明は、上記従来の課題を解決するために成されたものであり、その目的は、安いシステム構築コストで、障害発生時にどの分岐光線路のどの位置にどのような故障が発生したかを的確に監視できる分岐光線路の監視システムおよび監視方法を提供することにある。
【００２９】
【課題を解決するための手段】
上記目的を達成するために、本発明は次のような構成をもって課題を解決するための手段としている。すなわち、第１の発明の分岐光線路の監視システムは、少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段と、前記ｎ本の分岐光線路のうち第１から第（ｎ−１）の分岐光線路の検査光入射側にそれぞれ設けられて互いに異なる波長選択透過特性を有する第１から第（ｎ−１）の波長選択透過フィルタと、該第１から第（ｎ−１）の波長選択透過フィルタをそれぞれ透過して前記第１から第（ｎ−１）の分岐光線路に入力された後にそれぞれの分岐光線路で反射してＯＴＤＲ装置に戻ってくる戻り光と波長選択透過フィルタが設けられていない第ｎの分岐光線路に入力された後に第ｎの分岐光線路で反射してＯＴＤＲ装置に戻ってくる戻り光のデータを受けて、波長λｔ（１）から波長λｔ（ｎ）の戻り光の解析を行う検査光解析手段とを有し、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第（ｎ−１）の波長選択透過フィルタは透過する検査光の波長数が順に多くなるように形成されており、前記検査光解析手段は第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求める構成をもって課題を解決する手段としている。
【００３０】
また、第２の発明の分岐光線路の監視システムは、少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段と、前記第１から第ｎの分岐光線路の検査光入射側にそれぞれ設けられて互いに異なる波長選択透過特性を有する第１から第ｎの波長選択透過フィルタと、該第１から第ｎの波長選択透過フィルタをそれぞれ透過して前記第１から第ｎの分岐光線路に入力された後にそれぞれの分岐光線路で反射してＯＴＤＲ装置に戻ってくる戻り光を受けて、波長λｔ（１）から波長λｔ（ｎ）の戻り光の解析を行う検査光解析手段とを有し、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第ｎの波長選択透過フィルタは透過する検査光の波長数が順に多くなるように形成されており、前記検査光解析手段は第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求める構成をもって課題を解決する手段としている。
【００３１】
さらに、第３の発明の分岐光線路の監視システムは、上記第１または第２の発明の構成に加え、前記ＯＴＤＲ装置から発信される検査光と通信光を合波して分岐光導波路に送信する光合波器が設けられている構成をもって課題を解決する手段としている。
【００３２】
さらに、第４の発明の分岐光線路の監視システムは、上記第１または第２または第３の発明の構成に加え、前記波長選択透過フィルタは通信光を透過する構成をもって課題を解決する手段としている。
【００３３】
さらに、第５の発明の分岐光線路の監視システムは、上記第１乃至第４のいずれか一つの発明の構成に加え、前記分岐光線路の終端部に検査光遮断フィルタを設けた構成をもって課題を解決する手段としている。
【００３４】
さらに、第６の発明の分岐光線路の監視システムは、上記第１乃至第５のいずれか一つの発明の構成に加え、前記ＯＴＤＲ装置から発信する検査光が通信光の発信装置に入射することを抑制する検査光遮断フィルタを設けた構成をもって課題を解決する手段としている。
【００３５】
さらに、第７の発明の分岐光線路の監視システムは、上記第１乃至第６のいずれか一つの発明の構成に加え、前記１つのＯＴＤＲ装置が光スイッチを介して複数の光分岐手段に接続されており、それぞれの光分岐手段に接続されている分岐光線路に前記ＯＴＤＲ装置からの検査光を切り替え入力する構成をもって課題を解決する手段としている。
【００３６】
さらに、第８の発明の分岐光線路の監視システムは、上記第１乃至第７のいずれか一つの発明の構成に加え、前記検査光解析手段は光ファイバ特性の波長依存性を補正する補正部を有している構成をもって課題を解決する手段としている。
【００３７】
さらに、第９の発明の分岐光線路の監視方法は、少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段を設け、前記ｎ本の分岐光線路のうち第１から第（ｎ−１）の分岐光線路の検査光入射側には互いに異なる波長選択透過特性を有する第１から第（ｎ−１）の波長選択透過フィルタを設け、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第（ｎ−１）の波長選択透過フィルタは透過する検査光の波長数を順に多くし、該第１から第（ｎ−１）の波長選択透過フィルタをそれぞれ透過して前記第１から第（ｎ−１）の分岐光線路に入力された後にそれぞれの分岐光線路で反射してＯＴＤＲ装置に戻ってくる戻り光と、波長選択透過フィルタが設けられていない第ｎの分岐光線路に入力された後に第ｎの分岐光線路で反射してＯＴＤＲ装置に戻ってくる戻り光のデータに基づき、第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求める構成をもって課題を解決する手段としている。
【００３８】
また、第１０の発明の分岐光線路の監視方法は、少なくとも互いに異なる波長λｔ（１）から波長λｔ（ｎ）のｎ個（ｎは整数）の波長を持った検査光を発信するＯＴＤＲ装置と、該ＯＴＤＲ装置から発信される検査光を分岐して第１から第ｎのｎ本の分岐光線路にそれぞれ入力する光分岐手段を設け、前記ｎ本の分岐光線路のうち第１から第ｎの分岐光線路の検査光入射側には互いに異なる波長選択透過特性を有する第１から第ｎの波長選択透過フィルタを設け、前記第１の波長選択透過フィルタは前記ＯＴＤＲ装置から発信される検査光のうち波長λｔ（１）の検査光のみを透過し、前記第２の波長選択透過フィルタは前記ＯＴＤＲ装置から発信される検査光のうち波長λｔ（１）と波長λｔ（２）の光を透過し、前記第３の波長選択透過フィルタは前記ＯＴＤＲ装置から発信される検査光のうち波長λｔ（１）と波長λｔ（２）と波長λｔ（３）の検査光を透過するというように、第１から第ｎの波長選択透過フィルタは透過する検査光の波長数を順に多くし、該第１から第ｎの波長選択透過フィルタをそれぞれ透過して前記第１から第ｎの分岐光線路に入力された後にそれぞれの分岐光線路で反射してＯＴＤＲ装置に戻ってくる波長λｔ（１）から波長λｔ（ｎ）の戻り光のデータに基づき、第ｎの分岐光線路の状況を波長λｔ（ｎ）の戻り光により、第（ｎ−１）の分岐光線路の状況を波長λｔ（ｎ−１）の戻り光から波長λｔ（ｎ）の戻り光を差し引くことにより、第（ｎ−２）の分岐光線路の状況を波長λｔ（ｎ−２）の戻り光から波長λｔ（ｎ−１）の戻り光を差し引くことによりことにより求めるといったように、第ｎから第１の分岐光線路の状況を順次求める構成をもって課題を解決する手段としている。
【００３９】
【発明の実施の形態】
以下、本発明の実施の形態を、図面を参照して説明する。なお、本実施形態例の説明において、従来例と同一名称部分には同一符号を付し、その重複説明は省略又は簡略化する。
【００４０】
図１には、本発明に係る分岐光線路の監視システムの第１実施形態例が示されている。図１に示すように、本実施形態例の分岐光線路の監視システムは、ＯＴＤＲ装置２と光分岐手段３を有しており、光分岐手段３は、ＯＴＤＲ装置２から発信される検査光を分岐して第１から第ｎのｎ本の分岐光線路１（１ａ１〜１ａｎ）にそれぞれ入力する。
【００４１】
また、本実施形態例の分岐光線路の監視システムにおいて、前記ｎ本の分岐光線路１（１ａ１〜１ａｎ）のうち、第１から第（ｎ−１）の分岐光線路１（１ａ１〜１ａｎ−１）の検査光入射側には、それぞれ、互いに異なる波長選択透過特性を有する第１から第（ｎ−１）の波長選択透過フィルタ５（５ａ１〜５ａｎ−１）が設けられている。
【００４２】
前記ＯＴＤＲ装置２は、少なくとも互いに異なる波長λｔ（１）から波長λｔ（ｎ）のｎ個（ｎは整数）の波長を持った検査光を発信するものであり、光ファイバ２５と光カプラ１８を介して基幹光線路１１に接続されている。
【００４３】
基幹光線路１１には通信光の発信装置１０が接続されており、光カプラ１８は、通信光と前記ＯＴＤＲ装置２から発信される検査光を合波して分岐光導波路１（１ａ１〜１ａｎ−１）に送信する光合波器として機能する。前記ＯＴＤＲ装置２により発信する検査光波長λｔ（１）〜λｔ（ｎ）は、通信光波長λｓに対し、λｓ＜λｔ（１）＜λｔ（２）＜・・・・＜λｔ（ｎ）である。
【００４４】
前記それぞれの波長選択透過フィルタ５（５ａ１〜５ａｎ−１）は、設定波長よりも短波長側の光を選択的に透過するＳＷＰＦ（短波長域透過フィルタ）により形成されている。
【００４５】
第１の波長選択透過フィルタ５ａ１は、ＯＴＤＲ装置２から発信される検査光のうち波長λｔ（１）の検査光のみを透過し、第２の波長選択透過フィルタ５ａ２はＯＴＤＲ装置２から発信される検査光のうち波長λｔ（１）と波長λｔ（２）の光を透過し、第３の波長選択透過フィルタ５ａ３はＯＴＤＲ装置２から発信される検査光のうち波長λｔ（１）と波長λｔ（２）と波長λｔ（３）の検査光を透過するというように、第１から第（ｎ−１）の波長選択透過フィルタ５（５ａ１〜５ａｎ−１）は透過する検査光の波長数が順に多くなるように形成されている。
【００４６】
この構成により、第（ｎ−１）の波長選択透過フィルタ５ａｎ−１はＯＴＤＲ装置２から発信される検査光のうち波長λｔ（１）から波長λｔ（ｎ−１）までの検査光を透過する。また、分岐光線路１ａｎには波長選択透過フィルタ５が設けられていないので、通信光と波長λｔ（１）から波長λｔ（ｎ）のｎ個の波長を持った検査光が伝搬する。
【００４７】
また、本実施形態例において、第１から第（ｎ−１）の波長選択透過フィルタ５（５ａ１〜５ａｎ−１）は、波長λｓの通信光を透過する。したがって、それぞれの波長選択透過フィルタ５（５ａ１〜５ａｎ−１）を透過した検査光と通信光は、それぞれ、対応する分岐光線路１（１ａ１〜１ａｎ−１）を伝搬する。
【００４８】
なお、本実施形態例において、各分岐光線路１（１ａ１〜１ａｎ）の終端部には、それぞれ、検査光遮断フィルタ９が設けられており、各分岐光線路１（１ａ１〜１ａｎ）を伝搬した検査光は検査光遮断フィルタ９で反射してＯＴＤＲ装置２側に戻り、波長λｓの通信光のみがＯＮＵ４に受信される。
【００４９】
また、基幹光線路１１には、光カプラ１８の入射側の位置に、ＯＴＤＲ装置２から発信される検査光が通信光の発信装置１０に入射することを抑制する検査光遮断フィルタ９が設けられており、各分岐光線路１（１ａ１〜１ａｎ）で反射した戻り光は発信装置１０には入射されないように構成されている。
【００５０】
図１に示すように、本実施形態例の分岐光線路の監視システムは、前記ＯＴＤＲ装置２にコンピュータ２２を接続し、このコンピュータ２２内に、ＯＴＤＲ装置２により受信した戻り光のデータ（波形データ）を解析する検査光解析手段６を設けて形成されている。
【００５１】
検査光解析手段６は、第１から第（ｎ−１）の波長選択透過フィルタ５（５ａ１〜５ａｎ−１）をそれぞれ透過して前記第１から第（ｎ−１）の分岐光線路１（１ａ１〜１ａｎ−１）に入力された後にそれぞれの分岐光線路１（１ａ１〜１ａｎ−１）で反射してＯＴＤＲ装置２に戻ってくる戻り光と、波長選択透過フィルタ５（５ａ１〜５ａｎ−１）が設けられていない第ｎの分岐光線路１ａｎに入力された後に第ｎの分岐光線路１ａｎで反射してＯＴＤＲ装置２に戻ってくる戻り光のデータとを受けて、波長λｔ（１）から波長λｔ（ｎ）の戻り光の解析を行う。
【００５２】
検査光解析手段６は第ｎの分岐光線路１ａｎの状況を波長λｔ（ｎ）の戻り光により、第（ｎ−１）の分岐光線路１ａｎ−１の状況を波長λｔ（ｎ−１）の戻り光から波長λｔ（ｎ）の戻り光を差し引くことにより、第（ｎ−２）の分岐光線路１ａｎ−２の状況を波長λｔ（ｎ−２）の戻り光から波長λｔ（ｎ−１）の戻り光を差し引くことによりことにより求めるといったように、第ｎから第１の分岐光線路１ａｎ、１ａｎ−１、・・・１ａ１の状況を順次求める。
【００５３】
また、周知の如く、光ファイバの伝搬特性は波長依存性を有しており、本実施形態例に適用されている検査光解析手段６は上記光ファイバ特性の波長依存性を補正する補正部（図示せず）を有している。
【００５４】
本実施形態例は以上のように構成されており、ＯＴＤＲ装置２から発信される互いに異なる波長λｔ（１）から波長λｔ（ｎ）のｎ個（ｎは整数）の波長を持った検査光が、光ファイバ２５と光カプラ１８と分岐前光線路１２と光分岐手段３を介して、第１から第ｎの分岐光線路１（１ａ１〜１ａｎ）側に向けて伝搬する。
【００５５】
ただし、第１から第ｎ−１の分岐光線路１（１ａ１〜１ａｎ−１）には、その入射側に第１から第ｎ−１の波長選択透過フィルタ５（５ａ１〜５ａｎ−１）が設けられているので、第１から第ｎ−１の分岐光線路１（１ａ１〜１ａｎ−１）には、対応する第１から第ｎ−１の波長選択透過フィルタ５（５ａ１〜５ａｎ−１）を透過した検査光のみが伝搬する。
【００５６】
つまり、第１の波長選択透過フィルタ５ａ１が設けられている第１の分岐光伝送路１ａ１には、ＯＴＤＲ装置２から発信される検査光のうち波長λｔ（１）の検査光のみが伝搬し、第２の波長選択透過フィルタ５ａ２が設けられている第２の分岐光伝送路１ａ２には、ＯＴＤＲ装置２から発信される検査光のうち波長λｔ（１）と波長λｔ（２）の光が伝搬する。
【００５７】
また、第３の波長選択透過フィルタ５ａ３が設けられている第３の分岐光伝送路１ａ３には、ＯＴＤＲ装置２から発信される検査光のうち波長λｔ（１）と波長λｔ（２）と波長λｔ（３）の検査光が伝搬するというように、第１から第（ｎ−１）の分岐光線路１（１ａ１〜１ａｎ−１）を伝搬する検査光の波長数は順に多くなる。
【００５８】
そして、波長選択透過フィルタ５が設けられていない第ｎの分岐光伝送路１ａｎには、波長λｔ（１）から波長λｔ（ｎ）までの全ての検査光が伝搬し、波長λｔ（ｎ）の検査光が伝搬する分岐光伝送路１は第ｎの分岐光伝送路１ａｎのみであるので、検査光解析手段６は第ｎの分岐光線路１ａｎの状況を波長λｔ（ｎ）の戻り光により求める。
【００５９】
また、波長λｔ（ｎ−１）の検査光は、第ｎの分岐光線路１ａｎと第（ｎ−１）の分岐光線路１ａｎ−１にのみ伝搬し、第ｎの分岐光線路１ａｎの状況は波長λｔ（ｎ）の戻り光により求めて既知となっていることから、検査光解析手段６は、波長λｔ（ｎ−１）の戻り光から、上記波長λｔ（ｎ）の戻り光を差し引くことにより、第（ｎ−１）の分岐光線路１ａｎ−１の状況を求めることができる。
【００６０】
同様に、検査光解析手段６は、第（ｎ−２）の分岐光線路１ａｎ−２の状況を波長λｔ（ｎ−２）の戻り光から波長λｔ（ｎ−１）の戻り光を差し引くことにより求めるといったように、第ｎから第１の分岐光線路１ａｎ、１ａｎ−１、・・・１ａ１の状況を順次求める。
【００６１】
なお、λｔ（ｎ−２）は分岐光線路１ａｎおよび分岐光線路１ａｎ−１および分岐光線路１ａｎ−２に入射するため、分岐光線路１ａｎおよび分岐光線路１ａｎ−１および分岐光線路１ａｎ−２からの反射戻り光が観測される。また、λｔ（ｎ−１）は分岐光線路１ａｎおよび分岐光線路１ａｎ−１に入射するため、分岐光線路１ａｎおよび分岐光線路１ａｎ−１からの反射戻り光が観測される。
【００６２】
したがって、分岐光線路１ａｎ−２の状況を求めるためには、波長λｔ（ｎ−２）の戻り光から波長λｔ（ｎ−１）の戻り光を差し引くだけでよい。
【００６３】
また、本実施形態例では、検査光解析手段６は上記光ファイバ特性の波長依存性を補正する補正部（図示せず）を有しており、検査光解析手段６は上記データ解析において、光ファイバ特性の波長依存性を補正しながらデータ解析を行う。
【００６４】
つまり、周知の如く、光ファイバの損失は波長に依存することが知られており、波長可変のＯＴＤＲ装置２により検査光波長を可変して分岐光線路の監視試験を行う場合も、波長依存による影響がある。具体的にはＯＴＤＲ装置２により検出される波形の傾きが波長ごとに変わってくる。
【００６５】
この光ファイバ損失の波長依存性をなくすために、例えばＯＴＤＲ装置２から互いに異なる波長の検査光を発信し、ＯＴＤＲ装置２に戻ってくる検出波形データの波長による違いを比較することによって検出波形の傾き補正を行う。
【００６６】
例えば波長λｔ（ｎ）をＯＴＤＲ装置２から発信したときにＯＴＤＲ装置２に戻ってくる波形データと、波長λｔ（ｎ−１）をＯＴＤＲ装置２から発信したときにＯＴＤＲ装置２に戻ってくる波形データを比較した場合、これらの波形データは、それぞれの波長の光が入力される分岐光線路１の違いによって互いに異なる。ただし、たとえＯＴＤＲ装置２からの発信波長が異なっていても、光ファイバ損失の波長依存性が全くない場合には、光カプラ１８と光分岐手段３との間の分岐前光線路１２を伝搬して戻ってくる光の波形はほぼ同じになるはずである。
【００６７】
そこで、波長λｔ（ｎ）が光分岐手段３の手前の分岐前光線路１２で反射して戻る波形と、波長λｔ（ｎ−１）が光分岐手段３の手前の分岐前光線路１２で反射して戻る波形の傾きを算出し、波長λｔ（ｎ−１）の波形の傾きを波長λｔ（ｎ）に合わせる。あるいは、その逆に、波長λｔ（ｎ）の波形の傾きを波長λｔ（ｎ−１）に合わせる。このことにより、光ファイバ損失の波長依存性を補正する。
【００６８】
また、光ファイバのレーリー散乱光等の反射戻り光も波長依存性があり、波長ごとに反射戻り光のパワーレベルが異なることも知られている。そこで、前述の傾き補正後の波長λｔ（ｎ−１）の波形について、分岐前光線路１２内の設定点のパワーレベルを求め、傾き補正後の波長λｔ（ｎ）の波形について、分岐前光線路１２内の前記設定点のパワーレベルを求め、両者のレベル差を算出する。そして、波長λｔ（ｎ−１）の波形に対してその差分を加算または減算することで反射戻り光の波長依存性をなくすことができる。
【００６９】
通常、ＯＴＤＲ装置２により検出される波形データは利得計算された値であることから、それぞれの波形を測定点毎にパワー換算し、パワー換算された波長λｔ（ｎ−１）の波形データからパワー換算された波長λｔ（ｎ）の波形データを測定点毎に減算する。得られた結果を再度利得計算することによって、第（ｎ−１）の分岐光線路のみのＯＴＤＲ波形を得ることができる。
【００７０】
本実施形態例は、上記構成により、上記のようにして各分岐光線路１（１ａ１〜１ａｎ）の監視を行うものであり、ＯＴＤＲ装置２から発信されてそれぞれの分岐光線路１（１ａ１〜１ａｎ）に入射し、戻ってくる戻り光の解析によって、各分岐光線路１（１ａ１〜１ａｎ）の線路状態を的確に、かつ、容易に観測することができる。
【００７１】
また、本実施形態例において、光分岐手段３は単純に光を分岐する機能を有していればよいので、光の分岐と分波の両方の機能を有するアレイ導波路回折格子等の応用品を用いた図５の構成のシステムに比べてシステム構築のコストアップを抑制でき、安価に分岐光線路の監視システムを構築できる。
【００７２】
また、それぞれの分岐光線路１（１ａ１〜１ａｎ−１）の検査光入射側に設ける波長選択透過フィルタ５（５ａ１〜５ａｎ−１）は、アレイ導波路回折格子の応用品に比べて温度依存性が低いので、温度調節機構等を設ける必要が無く、システムの低コスト化をより一層実現できる。
【００７３】
また、本実施形態例に適用している波長選択透過フィルタ５は、通信光を透過する機能を有しているので、図６に示したシステムのように、通信光とＯＴＤＲ装置２から発信する検査光を別々の経路で各分岐光線路１（１ａ１〜１ａｎ）に導く必要はなく、少ない部品点数で、簡単な構成の分岐光線路の監視システムを構築できる。
【００７４】
さらに、本実施形態例では、各分岐光線路１（１ａ１〜１ａｎ）の終端部および、通信光の発信装置１０とＯＴＤＲ装置２との間に、検査光遮断フィルタ９が設けられており、ＯＴＤＲ装置２から発信される検査光はＯＮＵ４や発信装置１０には入射されないように構成されているので、インサービスの線路において分岐光線路１の監視を行っても、検査光によるノイズ等の支障が無く光通信を行うことができる。
【００７５】
次に、本発明に係る分岐光線路の監視システムの第２実施形態例について説明する。なお、この第２実施形態例の説明において、上記第１実施形態例と同一名称部分には同一符号を付し、その重複説明は省略する。
【００７６】
第２実施形態例の分岐光線路の監視システムは、図２に示すように、１つのＯＴＤＲ装置２が光スイッチ７を介して複数の光分岐手段３（３ａ，３ｂ，・・・）に接続されており、それぞれの光分岐手段３（３ａ，３ｂ，・・・）に接続されている分岐光線路１（１ａ１〜１ａｎ，１ｂ１〜１ｂｎ，・・・）にＯＴＤＲ装置２からの検査光を切り替え入力する構成としたことを特徴とする。
【００７７】
第２実施形態例の上記以外の構成は上記第１実施形態例と同様であり、上記第１実施形態例と同様の動作により同様の効果を奏することができる。
【００７８】
また、第２実施形態例の分岐光線路の監視システムは、１つのＯＴＤＲ装置２が光スイッチ７を介して複数の光分岐手段３（３ａ，３ｂ，・・・）に接続されているので、少ない部品構成でより多くの分岐光線路１の監視を行うことができ、システム構成を簡略化でき、システム構築のコストダウンを図ることができる。
【００７９】
なお、本発明は上記実施形態例に限定されることはなく、様々な実施の態様を採り得る。例えば上記各実施形態例では、波長選択透過フィルタ５をＳＷＰＦにより形成したが、波長選択透過フィルタ５は、設定波長帯の光のみを選択的に透過するＢＰＦ（帯域透過型フィルタ）により形成してもよい。なお、この場合、通信光λｓはＢＰＦの透過帯域内にあればよい。
【００８０】
例えば、第１の波長選択透過フィルタ５ａ１は、波長λｓと波長λｔ（１）の光を透過するフィルタとし、第２の波長選択透過フィルタ５ａ２は、波長λｓと波長λｔ（１）と波長λｔ（２）の光を透過するフィルタとし、第（ｎ−１）の波長選択透過フィルタ５ａｎ−１は波長λｓと波長λｔ（１）〜λｔ（ｎ−１）の光を透過するフィルタとすればよい。
【００８１】
また、通信光波長λｓとＯＴＤＲ装置２から発信する検査光の波長λｔの関係を、λｓ＞λｔ（１）＞λｔ（２）＞・・・＞λｔ（ｎ）としてもよい。この場合、波長選択透過フィルタ５を、設定波長よりも長波長側の光のみを透過するＬＷＰＦ（長波長域透過フィルタ）により形成すればよい。
【００８２】
例えば、波長選択透過フィルタ５ａ１は波長λｓと波長λｔ（１）を透過するＬＷＰＦとし、波長選択透過フィルタ５ａ２は波長λｓと波長λｔ（１）と波長λｔ（２）を透過するＬＷＰＦとし、波長選択透過フィルタ５ａｎ−１は波長λｓと波長λｔ（１）〜波長λｔ（ｎ−１）を透過するＬＷＰＦとする。
【００８３】
また、上記のように、通信光波長と検査光波長の関係を、λｓ＞λｔ（１）＞λｔ（２）＞・・・＞λｔ（ｎ）とした場合も、ＬＷＰＦの代わりにＢＰＦを適用することもできる。
【００８４】
さらに、上記各実施形態例では、ｎ本の分岐光線路１（１ａ１〜１ａｎ）のうち、第１から第（ｎ−１）の分岐光線路１（１ａ１〜１ａｎ−１）の検査光入射側にそれぞれ、第１から第（ｎ−１）の波長選択透過フィルタ５（５ａ１〜５ａｎ−１）を設けたが、第ｎの分岐光線路１ａｎにも、図１の鎖線で示すように、波長選択透過フィルタ５（５ｎ）を設けてもよい。
【００８５】
この場合、第ｎの分岐光線路１ａｎに設ける波長選択透過フィルタ５ｎは、波長λｔ（１）から波長λｔ（ｎ）の検査光を全て透過する構成とし、検査光解析手段６は、第ｎの分岐光線路１ａｎでの反射戻り光と第１から第（ｎ−１）の分岐光線路１（１ａ１〜１ａｎ−１）での反射戻り光のデータを受けて、上記各実施形態例と同様の解析を行うことにより同様の効果を奏することができる。
【００８６】
さらに、上記各実施形態例では、ＯＴＤＲ波形の線形演算の際に、光ファイバ損失・反射戻り光の補正を、測定波形を元に行うようにしたが、測定線路の光ファイバの検査光波長毎の光ファイバ損失・反射戻り光レベルが既知であればそれを用いて補正を行うようにしてもよい。
【００８７】
また、ＯＴＤＲ波形演算の際に距離方向の補正を行うようにしてもよい。光ファイバ中の光の伝搬速度は波長により異なるため、波長可変ＯＴＤＲ装置２により波長を変えて測定した場合には、光線路の同一地点であっても観測される時間遅れが異なってくる。
【００８８】
これは対象となる光線路が長距離になると顕著である。検査光波長毎の光ファイバ中の伝搬時間が既知であれば、それを元に距離方向の補正を行うことができる。なお、光ファイバの波長ごとの光伝搬速度が不明の場合でも、各検査光波長による任意の２点間の距離から遅延時間の差を割り出して、距離補正を行ってもよい。このように、データの補正方法は適宜設定されるものである。
【００８９】
さらに、上記各実施形態例では、ＯＴＤＲ装置２にコンピュータ２２を接続し、コンピュータ２２に設けた検査光解析手段６によりＯＴＤＲ波形の線形演算を行うようにしたが、検査光解析手段６をＯＴＤＲ装置２内に組み込んで、ＯＴＤＲ装置２に上記線形演算機能をもたせてもよい。
【００９０】
さらに、本発明の分岐光線路の監視システムおよび監視方法は、インサービスされていないシステムに適用してもよい。この場合は、波長選択透過フィルタは通信光を透過しないフィルタとしてもよいし、発信装置１０と光カプラ１８の間に設けた検査光透過フィルタ９およびＯＮＵ４の前に設けた検査光遮断フィルタ９は設けなくてもよい。
【００９１】
さらに、上記各実施形態例では、ＯＴＤＲ装置２は互いに異なる波長λｔ（１）から波長λｔ（ｎ）のｎ個（ｎは整数）の波長を持った検査光を発信したが、ＯＴＤＲ装置３は、少なくとも互いに異なる波長λｔ（１）から波長λｔ（ｎ）のｎ個（ｎは整数）の波長を持った検査光を発信できればよく、それ以外の光を発信できる装置としてもよい。
【００９２】
【発明の効果】
本発明の分岐光線路の監視システムおよび監視方法によれば、複数波長を持つ検査光をＯＴＤＲ装置から発信して該検査光を光分岐手段で単純に分岐し、分岐光線路の検査光入射側に設けた波長選択透過フィルタの波長選択透過特性を利用して、それぞれの分岐光線路に入射する検査光の数を順に多くして、分岐光線路で反射してＯＴＤＲ装置側に戻る戻り光を解析することにより、簡単で安価にできる構成で的確に分岐光線路の監視を行うことができる。
【００９３】
また、本発明の分岐光線路の監視システムにおいて、ＯＴＤＲ装置から発信される検査光と通信光を合波して分岐光導波路に送信する光合波器が設けられている構成によれば、光合波器によって検査光と通信光を合波し、光通信と分岐光線路の監視を的確に行うことができる。
【００９４】
さらに、本発明の分岐光線路の監視システムにおいて、波長選択透過フィルタは通信光を透過する構成によれば、波長選択透過フィルタを通して通信光と検査光を分岐光線路に入力できるので、構成が簡単で低コストの監視システムを構築できる。
【００９５】
また、本発明の分岐光線路の監視システムにおいて、分岐光線路の終端部に検査光遮断フィルタを設けた構成によれば、検査光による悪影響を光加入者線終端装置に与えることを抑制できる。
【００９６】
さらに、本発明の分岐光線路の監視システムにおいて、ＯＴＤＲ装置から発信する検査光が通信光の発信装置に入射することを抑制する検査光遮断フィルタを設けた検査光遮断フィルタを設けた構成によれば、検査光による悪影響を通信光の発信装置に与えることを抑制できる。
【００９７】
さらに、本発明の分岐光線路の監視システムにおいて、１つのＯＴＤＲ装置が光スイッチを介して複数の光分岐手段に接続されており、それぞれの光分岐手段に接続されている分岐光線路に前記ＯＴＤＲ装置からの検査光を切り替え入力する構成とした構成によれば、１つのＯＴＤＲ装置によって、より多くの分岐光線路の監視を効率的に行うことができ、監視システムのコストダウンをより一層図ることができる。
【００９８】
さらに、本発明の分岐光線路の監視システムにおいて、検査光解析手段は光ファイバ特性の波長依存性を補正する補正部を有している構成によれば、検査光解析手段による検査光解析をより一層的確に行うことができる。
【図面の簡単な説明】
【図１】本発明に係る分岐光線路の監視システムの第１実施形態例を示す要部構成図である。
【図２】本発明に係る分岐光線路の監視システムの第２実施形態例を示す要部構成図である。
【図３】従来の分岐光線路の監視システムの一例を示す説明図である。
【図４】従来の分岐光線路の監視システムの別の例を示す説明図である。
【図５】従来の分岐光線路の監視システムのさらに別の例を示す説明図である。
【図６】従来の分岐光線路の監視システムのさらにまた別の例を示す説明図である。
【符号の説明】
１，１ａ１〜１ａｎ，１ｂ１〜１ｂｎ  分岐光線路
２  ＯＴＤＲ装置
３  光分岐手段
４  ＯＮＵ
５，５ａ１〜５ａｎ  波長選択透過フィルタ
６  検査光解析手段
７  光スイッチ
９  検査光遮断フィルタ
１０  発信装置
１１  基幹光線路
【図１】
2004156962.tif 000003
【図２】
2004156962.tif 000004
【図３】
2004156962.tif 000005
【図４】
2004156962.tif 000006
【図５】
2004156962.tif 000007
【図６】
2004156962.tif 000008